(57)【要約】      （修正有） 【課題】水槽内で身体を仰向け姿勢で安定に浮き上がらせることができる、快適で安価なフローティング水槽を提供する。【解決手段】大人の身長以上の長さを有し、一定水位を保持する水槽１の一端で仰向け姿勢で入浴する入浴者５の両耳が前記水位以上となる位置に頭を支持する枕４Ａを設け、前記入浴者の両側で足方向に伸ばした両腕の下面を支持する一対の腕支持台７Ａを水面下に設け、この一対の腕支持台の足方向端部に仰向け姿勢の人の手で握る握り部８Ａを夫々設けたフローティング水槽である。【選択図】図２
2005246050.tif 000002
【特許請求の範囲】
【請求項１】
大人の身長以上の長さを有し一定水位を保持する水槽に、その一端で仰向け姿勢で入浴する入浴者の両耳が前記水位以上となる位置に頭を支持する枕を設け、前記入浴者の両側で足方向に伸ばした両腕を水面下で支持する一対の腕支持台を水面下に設け、この一対の腕支持台の足方向端部に仰向け姿勢の人の手で握る握り部を設けたことを特徴とするフローティング水槽。
【請求項２】
前記一対の腕支持台の長さ方向に、腕の太さよりも大きい径の円弧状浅溝を設けたことを特徴とする請求項１に記載のフローティング水槽。
【請求項３】
前記入浴者が枕に顎を載せてうつ伏せ姿勢となり、ニの腕を垂直方向に沈めて肘を直角に曲げた位置に、両前膊を夫々支持する一対の前膊支持台を設け、この一対の前膊支持台の手先方向端部にうつ伏せ姿勢の人の手で握る第２握り部を設けたことを特徴とする請求項１又は２のいずれか１項に記載のフローティング水槽。
【請求項４】
大人の身長以上の長さを有し、一定水位を保持する水槽の一端に仰向け姿勢で入浴する入浴者の両耳が前記水位以上となる位置に頭を支持する枕を設け、且つ前記枕の後方に前記入浴者の両手を頭上に回し且つ前記枕を取り囲んで組むことが可能な空間部を設けたことを特徴とするフローティング水槽。
【発明の詳細な説明】
【技術分野】
【０００１】
本発明は、浴槽として、或いはプールサイドの入浴設備として、又或いは浴場設備、エステ設備等として、身体を伸ばして仰向け姿勢で長時間安定に浮き上がらせ快適にリラックスした状態で入浴できるフローティング水槽に関するものである。
【背景技術】
【０００２】
入浴は、身体を清潔にし、ストレスを解消して、気分転換させるが、従来の浴槽では充分にリラックスさせることができず、快適性の点で不満足であった。更に高血圧や心臓病の人には、水圧で心臓を圧迫し負担を掛ける欠点があった。
【０００３】
この対策として、浅めの浴槽に身体を仰向け姿勢で入浴させて、心臓への負担がなくする入浴法が提案されている。
【０００４】
特公平6-18600号公報には、浴槽の上方に放射装置と、ポンプ装置と殺菌装置と濾過装置と加熱装置とを有し、電子プログラム制御を備えた浄水装置を経て循環させる液体循環ループとを有する治療用浴槽において、浴槽の内部側壁及び内部の頭端及び脚端に仰向け及びうつ伏せの体に適合するように形成された支持部を設けた治療用浴槽が提案されている。しかしながらこの治療用浴槽は、背中又は胸部の支持部や脚端に適合する支持部があって、浅めの浴槽に身体を沈めて治療する浴槽であり、身体を仰向け姿勢で浮き上がらせることができないので、快適とは言えない。
【０００５】
また、特開2001-198030号公報には、仰向けに寝そべった状態で入湯可能な比較的浅めの浴槽本体と、この浴槽本体の底部に配設された多数の孔と、これらの孔に連通接続されたジェット噴流圧送装置と、上記浴槽本体内の湯水を濾過し該濾過された湯水を上記ジェット噴流圧送装置へと送る濾過循環温調装置とを有して構成され、上記ジェット噴流圧送装置は、浴槽本体の底部に開設された孔から強いジェット噴流を入湯者の体全体に向かって圧送するフローティングバスが提案されている。このフローティングバスは、強いジェット噴流で身体を浮き上がらせるもので、身体に強いジェット噴流があたると刺激が強すぎて医学的にも良くないと言われているうえに、身体も左右に揺れて不安定である。この不安定さを枕と手すりで防止しようとしているが、左右の揺れを完全に防止できず快適とはいえない。しかも可動床を配置しているので非常に高価である。
【特許文献１】特公平6-18600号公報、第１頁
【特許文献２】特開2001-198030号公報、第１頁
【発明の開示】
【発明が解決しようとする課題】
【０００６】
本発明の課題は、水槽内で身体を伸ばして仰向け姿勢で長時間安定に浮き上がらせることができる、ゆったりと快適で安価なフローティング水槽を提供することにある。
【課題を解決するための手段】
【０００７】
人間の比重は凡そ1.0であり、プールの中で息を吸い込んで仰向けに大の字になると身体の浮力で無重力状態となり浮くことができるが、呼吸をすると次第に沈んでしまう。本発明はこの身体の浮力によって浮く状態（ここでは、この入浴方式を以下宇宙浴と呼ぶ。）をゆったりと快適に長時間維持するための補助手段として開発されたものである。即ち本発明は、大人の身長以上の長さを有し一定水位を保持する水槽に、その一端で仰向け姿勢で入浴する入浴者の両耳が前記水位以上となる位置に頭を支持する枕を設け、前記入浴者の両側で足方向に伸ばした両腕を水面下で支持する一対の腕支持台を水面下に設け、この一対の腕支持台の足方向端部に仰向け姿勢の人の手で握る握り部を設けたことを特徴とするフローティング水槽である。
【０００８】
本発明でいう水槽とは、家庭用の風呂、銭湯、温泉、露天風呂、そしてホテル、旅館、客船、健康ランド、老人ホーム等の大中小の浴槽、更にプールを意味するものである。
【０００９】
本発明は、大人の身長以上の長さを有し、一定水位を保持する水槽の一端で仰向け姿勢で入浴する入浴者の両耳が前記水位以上となる位置で好ましくは水面に近い位置に頭を支持する枕を設けているので、入浴者の耳に水が侵入することはないし、リラックス姿勢で入浴者を快適に浮き上がらせるための一要因となる。入浴者が健康な人である場合は、首から下の身体全体が水面下となる位置に枕を設けるのが最も快適であるが、入浴者が高血圧や心臓病を患っている場合は、より高い枕を準備しておいて、入浴者の胸が水面から出るようにするのがよい。
【００１０】
本発明は前記の構成に加えて、前記仰向け姿勢の入浴者の両側で足方向に伸ばした両腕を支持する一対の腕支持台を水面下に設けているので、身体の浮力の不足分の僅かな荷重を一対の腕支持台に掛けることができる。水深が身長以上の場合、僅かな荷重を腕支持台に掛けるだけで身体を浮かすことができるが足先が沈んでしまう。胸から下半身を腕支持台に載せた腕に平行になるように身体を硬直化させると身体全体を足先まで浮かせることは可能であるが、身体をリラックスさせることができず直ぐに疲れて長続きしない。
【００１１】
本発明は前記の構成に加えて、更に前記一対の腕支持台の足方向端部に仰向け姿勢の人の手で握る握り部を夫々設けているので、前記一対の腕支持台に真直ぐに伸ばして載せた腕の手で前記握り部を押し下げるように握ることができ、握りの力が二の腕の筋肉張力を生み、足部を浮かせる力となり、枕による頭の支持と腕支持台による腕の支持とがマッチしてリラックス状態でゆったりと足の先まで長時間安定に浮き上がらせることができる。
【００１２】
物理的には、枕で支持した頭と、腕支持台に真直ぐに伸ばして載せた腕と、握り部を握った手と、直線化した身体の４者が一体となってバランスし、身体全体をリラックス状態でゆったりと足の先まで長時間安定に浮き上がらせることができ、快適なフローティング水浴（以下宇宙浴と称す）を楽しむことができる。例えば、身体をぷかぷかと浮かせ上下に少し動かしたいような場合、腕力を変化させるのではなくて、握りの力を強く、又は緩めるだけの軽い操作力で対応できる。
【００１３】
前記一対の腕支持台は前記入浴者の腕の大部分又は全部が水面下となる位置で、且つ水面に近い位置に設けるのが好ましい。前記一対の腕支持台の位置が水面から深くなればなるほど、疲れ易くなって長続きしない。また逆に腕の大半が水面から出ると快適性の点で好ましくない。前記の如く入浴者が高血圧や心臓病を患っていて、より高い枕を用いて入浴者の胸が水面から出るようにした場合、ニの腕が前記の腕支持台から少し離れることがあるが、肘が腕支持台に載っていて、腕を伸ばした手で前記握り部を押し下げるように握っている限り問題無く身体をゆったりとリラックス状態で足の先まで安定に浮き上がらせることができる。
【００１４】
また、前記一対の腕支持台の長さ方向に、腕の太さよりも大きい径の円弧状浅溝を設けておくと、腕をソフトに安定に腕支持台に載せることができ、身体を長時間リラックス状態に保つことができる。
【００１５】
前記握り部を、腕支持台の足方向の上端面から突出する角に丸みを付けた平板状としておくと、その先端を腕を伸ばした手で押し下げるように掴むことができるが、腕支持台の足方向端面から突出する棒状部材で構成しておく方が、腕を伸ばした手で前記握り部を握り易くなって好ましいと言える。この棒状部材の握り部は、前記腕支持台に収納可能に取付けておくと、通常の浴槽として使う場合に邪魔にならないので更に好ましいと言える。
【００１６】
本発明は前記構成に加えて、前記入浴者が枕に顎を載せてうつ伏せ姿勢となり、ニの腕を垂直方向に沈めて肘を直角に曲げた位置に、両前膊を夫々支持する一対の前膊支持台を設け、この一対の前膊支持台の手先方向端部にうつ伏せ姿勢の人の手で握る第２握り部を設けておくとよい。このような構成にすることにより、仰向け姿勢から身体を反転させて枕に顎を載せ、ニの腕を垂直方向に沈めて肘を直角に曲げて一対の前膊支持台に両前膊を載せて身体の浮力の不足分の荷重を掛け、手で前記第２握り部を肩の方向に引くように握ることが可能となり、うつ伏せ姿勢の入浴者の下半身をリラックス状態で足の先まで長時間安定に浮き上がらせることができる。かくして同一水槽を用いて仰向け姿勢による宇宙浴と、うつ伏せ姿勢による宇宙浴を交互に行なうことができ、飽きることなく長時間快適な宇宙浴を楽しむことができる。
【００１７】
尚ここで、前記一対の前膊支持台の長さ方向に、上記一対の腕支持台と同様に腕の太さよりも大きい径の円弧状浅溝を設けておくと、腕をソフトに安定に腕支持台に載せることができ、前記第２握り部も一対の前膊支持台の手先方向端面から突出する棒状部材で構成しておくと、手で前記握り部を肩の方向に引くように握り易くなって好ましいと言える。
【００１８】
前記水槽が浴槽である場合は、普通の浴槽と同じ深さにしておいて、前記一対の腕支持台も取外し可能にしておくと、普通の浴槽としてより広く使用することができる。
【００１９】
本発明の第二の発明は、大人の身長以上の長さを有し、一定水位を保持する水槽の一端に仰向け姿勢で入浴する入浴者の両耳が前記水位以上となる位置に頭を支持する枕を設け、且つ前記枕の後方に前記入浴者の両手を頭上に回し且つ前記枕を取り囲んで組むことが可能な空間部を設けたことを特徴とするフローティング水槽である。
【００２０】
前記枕の後端上部に角に丸みを付けた平板状の握り部を設けておくと、両手で組む代わりに前記握り部を握ることができるので好ましいと言える。
【００２１】
前記の構成により、入浴者が仰向け姿勢又はうつ伏せ姿勢で、両手を前記枕の側面から枕を取り囲むように組むか、万歳状にして前記の握り部を握ることにより、下半身をリラックス状態で足の先まで長時間安定に浮き上がらせることができる。
【００２２】
上記第一の発明に第二の発明を加えることが好ましい。このようにすることにより一回の入浴でいろんな姿勢のバリエーションで宇宙浴を楽しむことができる。
【００２３】
前記水槽がプールや大中浴場である場合は、水槽の一端面に直角に前記一対の握り部付腕支持台と枕、又は及び枕の後方に前記空間部を設けて成るセット品を平行設置すると、複数人の入浴者が各セット品を適宜使い分けつつ、楽しく利用することができる。
【発明の効果】
【００２４】
以上の如く本発明は特許請求の範囲に記載された通りのフローティング水槽なので次ぎのような効果が得られる。
【００２５】
一定水位を保持する水槽の一端で仰向け姿勢で入浴する入浴者の両耳が前記水位以上となる位置に頭を支持する枕を設けているので、入浴者の耳に水が侵入することがなく、リラックス姿勢で入浴者を快適に浮き上がらせるための一要因となる。
【００２６】
入浴者の両側で足方向に伸ばした両腕を支持する一対の腕支持台を水面下に設け、この一対の腕支持台の足方向端部に仰向け姿勢の人の手で握る握り部を夫々設けているので、前記入浴者の両腕を一対の腕支持台上に載せ、腕を伸ばした手で前記握り部を握って、握りの力が二の腕の筋肉張力を生み、足部を浮かせる力となり、枕による頭の支持とマッチしてリラックス状態でゆったりと足の先まで長時間安定に浮き上がらせることができ、快適な宇宙浴を楽しむことができる。
【００２７】
一対の腕支持台は、長さ方向に腕の太さよりも大きい径の円弧状浅溝を設けているので、両腕をソフトに安定に一対の腕支持台に載せることができ、身体を長時間リラックス状態に保つことができる。
【００２８】
入浴者が枕に顎を載せてうつ伏せ姿勢となり、ニの腕を垂直方向に沈めて肘を直角に曲げた位置に、両前膊を夫々支持可能な一対の前膊支持台とその端面から突出する第２握り部を夫々設けているので、入浴者は同一水槽を用いて仰向け姿勢による宇宙浴と、うつ伏せ姿勢による宇宙浴を交互に楽しむことができる。
【００２９】
また、前記枕の後方に前記入浴者の両手を前記枕の側面から枕を取り囲んで組むことが可能な空間部を設けているので、入浴者が仰向け姿勢又はうつ伏せ姿勢で、両手を頭上に回し前記枕の側面から枕を取り囲むようにして組んで、下半身をリラックス状態で足の先まで長時間安定に浮き上がらせて、快適な宇宙浴を楽しむことができる。
【発明を実施するための最良の形態】
【００３０】
次に、本発明を実施するための最良の形態について図面を用いて説明する。
【００３１】
図1〜図10は本発明を個人用浴槽に適用した実施形態に係るものである。図1はその一実施形態に係る平面図であり、図2は図1のF2- F2矢視断面図であり、図4は図２のF4-F4矢視断面図である。
【００３２】
浴槽1は個人用の浴槽であり、大人の伸長以上の長さ有しており、材質はステンレス、FRP又は木製にするのが良く、その側面には水位保持用排水口2が有り、一定の水位を保てるようになっている。
【００３３】
図1に示すように、浴槽1の一端には、浴槽1と同じ材質で一体構造となっている枕支持台3Aを設けており、その上にはステンレス又はFRP、好ましくは御影石の枕4Aを置いている。御影石の枕を用いる場合は表面をよく磨いて冷やしておくと快適である。枕支持台3Aは図2に示すように、枕4Aを置く部分の一部が凹部となっていて、枕4Aが簡単に前後左右に移動しないようになっている。
【００３４】
枕4Aは、仰向け姿勢で入浴する入浴者5の頭を載せた状態で、入浴者5の両耳が前記水位以上となる位置、好ましくは入浴者5の頭がお湯に浸からない位置で且つ枕の上面が水面に近い位置に設けており、リラックス姿勢で入浴者5を快適に浮き上がらせるための一要因となる。入浴者5の頭がお湯に浸かると、頭がお湯で加熱されることになり好ましいとは言えない。
【００３５】
入浴者5の両側で足方向に伸ばした両腕6を支持する一対の腕支持台7Aを、入浴者の腕6の大部分又は全部が水面下となる位置で、且つ水面に近い位置に設け、この一対の腕支持台7Aの足方向端面から突出する棒状部材の握り部8Aを夫々設けているので、腕6の少なくとも肘から先の前膊を一対の腕支持台7A上に載せて身体の浮力の不足分の荷重を掛けることができ、腕6を伸ばした手で前記握り部8Aを押し下げるように握り易くなり、握りの力が二の腕の筋肉張力を生み、枕4Aによる頭の支持とマッチして腕全体を真直ぐに保ったリラックス姿勢を保ちつつ入浴者の下半身を足の先までゆったりと長時間安定に浮き上がらせる快適な宇宙浴を楽しむことができる。例えば、身体をぷかぷかと浮かせ図2のαで示すように足先を上下に少し動かしたいような場合、腕力を変化させるのではなくて、握りの力を強く、又は緩めるだけの軽い操作力で対応できる。
【００３６】
この腕支持台7Aは、材質がステンレス、FRP又は木であり、図1、図2に示すように腕支持台7Aの付根10を枕支持台3Aに着脱可能で且つピン（図示せず）を差し込んで途中で止めることができるように取付けているので、腕6の長さに応じて腕支持台7Aの位置を変えることができ、また腕支持台7Aを取外すことにより普通の浴槽としても使用することもできる。
【００３７】
図1、図2に示すように棒状部材の握り部8Aを上向き角度で取付けた場合、握り部を足方向に押すように（即ち自然に押し下げるようになる）握り易くなるし、図3に示すように握り部8Aを水平に取付けた場合、手の甲を上にして手の荷重を掛けるように（即ち自然に押し下げるようになる）握り易くなる。また図8〜図10に示すように、握り部8Bを腕支持台7Cの外側で足方向端面から一旦水平方向に突出させ途中から内側で且つやや上向きに曲げた形状に取付けた場合、手の甲を上にして手の荷重を掛けるようにより握り易くなって最も好ましいと言える。何れの場合も、腕6の内側が腕支持台と直接接触するので接触面積が増加し手の負担が減少し、真直ぐに伸ばした腕6の手で前記握り部を押し下げるように握ることができ、握りの力が二の腕の筋肉張力を生み、足部を浮かせる力となる。
【００３８】
図5は図２のF5-F5矢視断面図であり、一対の腕支持台7Aの長さ方向に、腕6の太さよりも大きい径の円弧状浅溝9を設けているので、腕6をソフトに安定に腕支持部7Aの円弧状浅溝9に載せることができ、身体を長時間リラックス状態に保つことができる。
【００３９】
図3は本発明を個人用浴槽に適用した他の実施形態に係る断面図であり、入浴者5が高血圧や心臓病を患っていて、より高い枕4Aを用いて入浴者5の胸が水面から出るようにした場合の図である。この場合一対の腕支持台7Bも枕4Aの高さに応じて高くしても良いが、高血圧や心臓病を患っている人専用になるので、枕4Aのみを高くするのがよい。このようにすると、ニの腕が一対の腕支持台7Bから少し離れることがあるが、両肘が一対の腕支持台7Bに載っていて両手で握り部8Aを握っている限り問題無く身体を足の先まで安定に浮き上がらせることができる。
【００４０】
図3の例では、枕支持台3Bを腕支持台7Bと一体構造にして、腕支持台7Bの先端部も浴槽底面まで垂直に延長して安定化し、一体構造の枕支持台3Bと腕支持台7Bを浴槽１から取外し可能にしているので、清掃もし易くなり、広い普通浴槽として使用することができる。この一体構造の枕支持台3Bと腕支持台7B材質を木製にした場合は、浮き上がらないようにストッパー（図示せず）を設けるか、又は重りを内蔵するとよい。また、腕支持台7Bを短めにし、棒状の握り部8Aを長めにしておくと、腕の長い人にも短い人にも共用可能となる。
【００４１】
図6は図3のF6-F6矢視断面図であり、図7は図６のF7-F7矢視断面図である。握り部8Aの奥端面に鍔11を設け、腕支持台７Bには握り部8Aをスライドさせる空洞部12を設けており、更にこの握り部8Aの動きを制限するストッパー13がピン14を中心に反転するように設けられている。このストッパー13を二点鎖線で示すように反転させて解除することにより、握り部8Aを空洞部12内に収納することができる。このように握り部8Aを空洞部12内に収納するだけで、一体構造の枕支持台3Bと腕支持台7Bを浴槽１から取外さなくとも、安全に普通浴槽として使用することができる。
【００４２】
図8は、本発明の更に他の実施形態に係るもので、上記仰向け姿勢での宇宙浴に加えてうつ伏せ姿勢での宇宙浴も可能な個人用浴槽の平面図であり、図9は図８のF9-F9矢視断面図であり、図10は図８の浴槽において入浴者5が仰向け姿勢での宇宙浴をしている断面図である。
【００４３】
図3の構成において、図8、図9に示すように、枕支持台3Cの幅を枕の幅まで狭くして、枕支持台3Cの両側にスペースを確保し、枕4Bに合成ゴム製の緩衝材15を埋め込んでその上に顎を載せてうつ伏せ姿勢となり、ニの腕を垂直方向に沈めて肘を直角に曲げた位置に、両前膊を夫々支持する一対の前膊支持台16を設け、この一対の前膊支持台16の手先方向端部にうつ伏せ姿勢の人の手で握る第２握り部17を夫々設けたものである。このような構成にしておくことにより、図10に示す仰向け姿勢の入浴者5が、身体を反転させて図8に示すように、枕4 Bの上の緩衝材15に顎を載せてうつ伏せ姿勢となりニの腕を垂直方向に沈めて肘を直角に曲げて一対の前膊支持台16に両前膊を載せ身体の浮力の不足分の荷重を掛け、手で前記第２握り部17を肩方向に引くように握ることができ、入浴者の下半身をリラックス状態で足の先まで安定に浮き上がらせることができる。
【００４４】
図8〜図10の枕支持3Cと前膊支持台16は一体構造にしてもよいが、前膊支持台16を枕支持3Cに対してスライド可能にしておくと、腕6の長さに応じて前膊支持台16の位置を変えることができる。
【００４５】
前記一対の前膊支持台16の長さ方向に、上記一対の腕支持台7Aと同様に腕の太さよりも大きい径の円弧状浅溝9を設けているので、両腕をソフトに安定に一対の前膊支持台16に載せることができ、身体を長時間リラックス状態に保つことができる。
【００４６】
前記第２握り部17も、一対の前膊支持台16の手先方向端面から突出する棒状部材で構成し、図8〜図10に示すように、前膊支持台16の外側で手先方向端面から一旦水平方向に突出させ途中から内側で且つやや上向きに曲げた形状の握り部17にするのが握りやすくて良いと言える。また図2、図3で示すように握り部8Aを上向き角度や水平に取付けてもよい。何れの場合も手で前記握り部17を肩方向に引くように握ることにより、握りの力が足先を浮かせる力となり、枕による顎の支持と前膊支持台16による腕の支持とがマッチしてリラックス状態でゆったりと足の先まで長時間安定に浮き上がらせることができ、快適な宇宙浴を楽しむことができる。
【００４７】
かくして同一水槽を用いて仰向け姿勢による宇宙浴と、うつ伏せ姿勢による宇宙浴を交互に行なうことができ、飽きることなく長時間ゆったりと快適に宇宙浴を楽しむことができる。
【００４８】
図11は図8のF11-F11矢視断面図であり、握り部8Bには複数の止めピン穴18を設けており、腕支持台７には握り部8Bをスライドさせる空洞部12を設けている。この握り部8Bをスライドさせて止めピン19を止めピン穴18に差し込むことにより、握り部8Bの位置調整が可能となり、腕6の長さに応じて握り部8Bの位置を変えることができる。
【００４９】
図12は本発明をプールサイドに適用した一実施形態に係る平面図であり、図13は図12のF13-F13矢視断面図である。一対の腕支持台7Aは、その付根10がプールサイド壁面20に埋め込まれて固定されている以外は、図1の腕支持台7Aと同一構造になっている。握り部8Aは棒状部材で構成し水平で長めに設けて、支持台7Aを短めにしているので、腕6の長い人にも短い人にも共用可能である。
【００５０】
枕4Aもよく磨いた御影石を用いるのが好ましく、プールサイドを段付きにしてその段付き部を枕支持台3Dとし、その上に枕4Aを固定しておくとよい。プールの場合は個人用浴槽と異なって波が発生するので、枕4Aの高さは高目にしておくのが無難であるが、図13に示す如く後頭部が水に浸かるよう枕の高さを低くしておく方が、リラックス姿勢で入浴者5をゆったりと快適に浮き上がらせるために好ましいと言える。プールの場合お湯ではなく水なので、後頭部が水に浸かっても頭が加熱されることがない。
【００５１】
図14は本発明をプールサイドに適用した他の実施形態に係る断面図であり、仰向け姿勢の宇宙浴に加えてうつ伏せ姿勢（入浴者は図示せず）の宇宙浴ができる図9の個人浴槽に対応した図である。この例では枕支持台3Eはステンレス製としてその付根をプールサイド壁面20に埋め込んで固定し、この枕支持台3E上に合成ゴム製の緩衝材15を埋め込んだ枕4Bを設けている。更に図９と同一の位置関係に腕支持台７C、握り部8B、前膊支持台16、第２握り部17を夫々設けており、腕支持台７Cの下部及び前膊支持台16の先端下部から夫々垂直方向に延長してプールの底面21に埋め込んでいる。このような構成にしておくことにより、プールでの仰向け姿勢による宇宙浴と、うつ伏せ姿勢による宇宙浴を交互に行なうことができ、飽きることなく長時間快適な宇宙浴を楽しむことができる。
【００５２】
上記の図11,図12,図13は、プールサイドに1セット取付ける例として説明したが、プールサイドの壁面に枕と一対の握り部付腕支持台を、更に一対の前膊支持台16、第２握り部17を夫々設けて複数セット平行に並べて設置すると、数人の入浴者が同時に宇宙浴を楽しむことができる。この場合、腕の長さ別に複数サイズ準備しておくのが良い。
【００５３】
また上記の図11,図12,図13は、本発明をプールサイドに適用した例として説明したが、銭湯、温泉、露天風呂、そしてホテル、旅館、客船、健康ランド、老人ホーム等の大中の浴槽に適用する場合に同様の構成にすると良い。
【００５４】
図１〜図３に示す腕支持台7A及び握り部8Aの設計において、握り部8Aを一体化して、これを浴槽１の本体側部に設けたレールに沿って前後移動可能として、入浴者の身長、或いは入浴状態に応じて、所望の位置に調節するよう構成することもできる。このとき、適切な調節位置に固定するために、前記握り部にスイッチ操作でき、この操作によってピンをレールに対して固定する等の対応が可能である。さらに、レールの足部寄りの位置で、これら部材を7A、8Aをレールから外れるようにしておけば、着脱自在となり、浴槽１の利用勝手が良くなる。
【００５５】
図15は、本発明を個人用浴槽に適用した、更に他の実施形態に係る平面図であり、枕4Cの周囲に入浴者5の両手を頭上に回し、枕4Cを取り囲んで組むことが可能な空間部22を設けている。仰向け姿勢で入浴した入浴者5は、両手を空間部22内で組み下半身をリラックス状態で足の先まで浮き上がらせて、快適な宇宙浴を楽しむことができる。
【００５６】
図16は図15のF16-F16矢視断面図である。ただし、図15と図16では、手の組み方を変えて示している。図15では両手を空間部22内で組んでいるのに対して、図16では図示の如く枕4Cの後端部が角に丸みを付けた平板状の握り部23となっており、入浴者5は、両手を万歳状にして枕4Cの握り部23を握った状態で示している。両手を図15の組み方にするか、図16の握り方にするかは、入浴者が自由に選択することができ、快適な宇宙浴を楽しむことができる。また、枕4Cの握り部23は枕4Cの後端上部を左右に棒状に張り出させておくのも良い。
【００５７】
図17は、図16の入浴者がうつ伏せ姿勢で入浴した状態を示す断面図である。このようにうつ伏せ姿勢で下半身を浮かせて宇宙浴を楽しむこともできる。
【００５８】
図15〜17は、腕支持台7A及び握り部8Aを設けているので、同一浴槽で図1、図2の入浴姿勢による宇宙浴も楽しむことができる。
【００５９】
以上の説明において図示していないが、浴槽１の底部や端側面に複数の孔を設けて気液混合の適度のジェット噴流を入浴者の身体に向けて圧送するとマッサージ効果が生じてより快適である。ジェット噴流による身体の左右に揺れに対しては、枕と一対の腕支持台と両手による握りの５点支持により安定となり、ゆったりとした快適な宇宙浴を楽しむことができる。
【００６０】
以上の通り、本発明のフローティング水槽は、大人の身長以上の長さを有する水槽本体と、この中に配置した枕、腕支持台、及び握り部とから成る簡易構成の浴槽であり、従来の浴槽ではなし得なかった宇宙浴を可能とするものである。
【００６１】
この宇宙浴は、ストレス過大の社会にあって、唯一自己の世界を恰も宇宙空間に漂う形で実現可能である。従って、本発明の宇宙浴は、病人治療に止まらず、毎日の入浴として、スポーツ、エステの一環として、広く利用可能である。
【００６２】
本発明は、上記実施形態に限定されるものではなく、本発明の要旨を逸脱しない範囲で変形して実施することができ、各種態様で実施できる。
【図面の簡単な説明】
【００６３】
【図１】本発明を個人用浴槽に適用した一実施形態に係る平面図である。
【図２】図１のF2- F2矢視断面図である。
【図３】本発明を個人用浴槽に適用した他の実施形態に係る断面図である。
【図４】図2のF4-F4矢視断面図である。
【図５】図2のF5-F5矢視断面図である。
【図６】図3のF6-F6矢視断面図である。
【図７】図６のF7-F7矢視断面図である。
【図８】本発明を個人用浴槽に適用した、更に他の実施形態に係る平面図である。
【図９】図８のF9-F9矢視断面図である。
【図１０】図８で入浴者が仰向け姿勢で入浴した際のF9-F9矢視断面図である。
【図１１】図8のF11-F11矢視断面図である。
【図１２】本発明をプールサイドに適用した一実施形態に係る平面図である。
【図１３】図12のF13-F13矢視断面図である。
【図１４】本発明をプールサイドに適用した他の実施形態に係る断面図である。
【図１５】本発明を個人用浴槽に適用した、更に他の実施形態に係る平面図である。
【図１６】入浴者が枕の握り部を握った状態で示す、図15のF16-F16矢視断面図である。
【図１７】図16に示すフローティング水槽を用いて、入浴者がうつ伏せ姿勢で入浴した状態を示す断面図である。
【符号の説明】
【００６４】
1  浴槽
2  水位保持用排水口
3A,3B,3C,4D,4E  枕支持台
4A,4B  枕
5  入浴者
6  腕
7A,7B,7C  腕支持台
8A,8B  握り部
9  円弧状浅溝
10  腕支持台の付根
11  鍔
12  空洞部
13  ストッパー
14  ピン
15  緩衝材
16  前膊支持台
17  第２握り部
18  止めピン穴
止めピン
プールサイド壁面
プール底面
22  空間
23  枕の握り部
【図１】
2005246050.tif 000003
【図２】
2005246050.tif 000004
【図３】
2005246050.tif 000005
【図４】
2005246050.tif 000006
【図５】
2005246050.tif 000007
【図６】
2005246050.tif 000008
【図７】
2005246050.tif 000009
【図８】
2005246050.tif 000010
【図９】
2005246050.tif 000011
【図１０】
2005246050.tif 000012
【図１１】
2005246050.tif 000013
【図１２】
2005246050.tif 000014
【図１３】
2005246050.tif 000015
【図１４】
2005246050.tif 000016
【図１５】
2005246050.tif 000017
【図１６】
2005246050.tif 000018
【図１７】
2005246050.tif 000019